(57)【要約】      （修正有）【課題】ホームセキュリティモニター及び通報管理のシステムを提供する。【解決手段】通信ネットワークに適用されたホームセキュリティモニター及び通報管理のシステムにおいて、ネットワークサーバー側にある情報処理プラットフォームを介して、モニター環境におけるネットワーク監視装置にリンクしながら、ネットワークモニター装置により取り出されたモニターイベントメッセージを処理・保存し、それに対応する通報メッセージを生成する。一方、授権認証にパスした使用者が通信端末装置を介して情報処理プラットフォームにリンクすることで、情報処理プラットフォームからの通報メッセージを受信し、使用者授権認証データの管理・保守を実行し、若しくはネットワークモニター装置と情報処理プラットフォームとの間のリンクを選択的にオン・オフすることにより、環境モニターメッセージデータを取得する。【選択図】図５
2009059344.tif 000002
【特許請求の範囲】
【請求項１】
通信ネットワークに適用されたホームセキュリティモニター及び通報管理のシステムであって、
アナログ又はデジタルの映像及び／又は音声信号を取得し、前記アナログ又はデジタルの映像及び／又は音声信号をデジタル信号に変換し、前記通信ネットワークを介して伝送されてきた制御信号を受信し、前記制御信号及び／又は予め定められたスケジュールに応じて少なくともアナログ又はデジタルの映像及び／又は音声の取得のオン・オフ、遠近映像のフォーカスの調整、およびネットワーク監視装置本体の移動を含む動作を実行するネットワーク監視装置と、
データベースを有し、前記ネットワーク監視装置から前記通信ネットワークを介して伝送されたデジタル信号を受信し、前記デジタル信号を処理して前記データベースに蓄積するための情報処理プラットフォームと、
ネットワーク通信、データ処理、データ入力及び表示の機能を有し、前記通信ネットワークと前記情報処理プラットフォームとが相互にリンクされることにより、前記情報処理プラットフォームを介して前記データベースにおけるデジタル信号データをアクセスし及び／又はデジタル信号データを表示し、制御信号データ及び／又は予め定められたスケジュールデータが入力され、前記通信ネットワークを介して前記制御信号データを前記情報処理プラットフォームに伝送することで、前記情報処理プラットフォームが前記制御信号データに基づいて前記制御信号を生成し、そしてこの制御信号を前記通信ネットワークを介して前記ネットワーク監視装置に伝送し、該ネットワーク監視装置の動作を制御する通信端末装置と、
を備えていることを特徴とするホームセキュリティモニター及び通報管理のシステム。
【請求項２】
前記ネットワーク監視装置と相互にリンクし、検知されたモニターイベントメッセージを前記ネットワーク監視装置に伝送するための少なくとも一つの環境検知ユニットをさらに備え、前記ネットワーク監視装置が前記通信ネットワークを介して前記情報処理プラットフォームに伝送して、前記情報処理プラットフォームが前記セキュリティイベントメッセージをセキュリティ通報メッセージに変換して前記データベースに蓄積し、前記通信ネットワークを介して前記通信端末装置に伝送することを特徴とする請求項１に記載のホームセキュリティモニター及び通報管理のシステム。
【請求項３】
前記環境検知ユニットが、侵入検知ユニット、ガス漏洩検知ユニット、火災検知ユニット、煙霧検知ユニット、一酸化炭素濃度検知ユニット、及び二酸化炭素濃度検知ユニットからなるグループから選択されるものであることを特徴とする請求項２に記載のホームセキュリティモニター及び通報管理のシステム。
【請求項４】
前記環境検知ユニットが、有線又は無線のいずれか一つの方式により前記ネットワーク監視装置と相互にリンクすることを特徴とする請求項２に記載のホームセキュリティモニター及び通報管理のシステム。
【請求項５】
前記セキュリティイベントメッセージを、携帯電話メール、電子メール、リアルタイムサイレン又は音声伝送のいずれか一つの方式により前記通信ネットワークを介して前記通信端末装置に伝送することを特徴とする請求項２に記載のホームセキュリティモニター及び通報管理のシステム。
【請求項６】
前記環境検知ユニットが、検知しセキュリティイベントメッセージを前記ネットワーク監視装置に伝送した時、前記ネットワーク監視装置がセキュリティイベントメッセージを伝送した前記環境検知ユニットの周辺環境でのアナログ又はデジタル映像及び／又は音声信号を即刻取り出しすることを特徴とする請求項２に記載のホームセキュリティモニター及び通報管理のシステム。
【請求項７】
前記情報処理プラットフォームが、前記ネットワーク監視装置及び／又は通信端末装置には前記情報処理プラットフォームにリンクする権限を有するかどうかを認証するための認証モジュールをさらに備えていることを特徴とする請求項１に記載のホームセキュリティモニター及び通報管理のシステム。
【請求項８】
前記データベースには個別のネットワーク監視装置に対応する識別データが予め蓄積され、前記認証モジュールが前記ネットワーク監視装置のメディアアクセス制御（Ｍｅｄｉａ  Ａｃｃｅｓｓ  Ｃｏｎｔｒｏｌ，  ＭＡＣ）アドレスにより個別のネットワーク監視装置及びその対応する識別データを判断することを特徴とする請求項７に記載のホームセキュリティモニター及び通報管理のシステム。
【請求項９】
前記データベースには、さらに、個別の使用者に対応する身分識別データの使用権限データ及びデジタル信号データアクセス期限認証データが予め蓄積され、前記認証モジュールが
前記通信端末装置から前記通信ネットワークを介して伝送されてきた身分識別データが使用権限を持っているかどうか及び前記使用権限の内容を判断するための使用者身分識別モジュールと、
前記使用者身分識別モジュールが、前記通信端末装置の使用者が使用権限を持っていると判定した後、さらに通信端末装置の使用者が前記データベースにおけるデジタル信号データにアクセスした権限が期限切れであるかどうかを判断し、期限切れでなければ、通信端末装置の使用者がデータベースにおけるデジタル信号データをアクセスすることを許可し、期限切れであれば、通信端末装置の使用者がデータベースにおけるデジタル信号データをアクセスすることを禁止するためのアクセス期限認証モジュールと、
を備えていることを特徴とする請求項７に記載のホームセキュリティモニター及び通報管理のシステム。
【請求項１０】
前記身分識別データが、ワンタイムパスワード（Ｏｎｅ−Ｔｉｍｅ  Ｐａｓｓｗｏｒｄ，  ＯＴＰ）であることを特徴とする請求項７に記載のホームセキュリティモニター及び通報管理のシステム。
【請求項１１】
前記情報処理プラットフォームは、さらに、使用者身分識別モジュールが前記通信端末装置が使用権限を持っていると判断した後、使用者が前記通信端末装置を介してユーザデータの管理及び／又は保守を行うためのユーザデータ管理モジュールを備えていることを特徴とする請求項７に記載のホームセキュリティモニター及び通報管理のシステム。
【請求項１２】
前記ネットワーク監視装置は、前記ネットワーク監視装置が前記通信ネットワークを介してデジタル信号を前記情報処理プラットフォームに伝送する機能をオン又はオフにするためのモニター切り替えモジュールを備えていることを特徴とする請求項１に記載のホームセキュリティモニター及び通報管理のシステム。
【請求項１３】
前記ネットワーク監視装置が、無線又は有線のいずれか一つの通信インタフェースを有していることを特徴とする請求項１に記載のホームセキュリティモニター及び通報管理のシステム。
【請求項１４】
前記有線通信インタフェースが、高速電力線通信（ｐｏｗｅｒ  ｌｉｎｅ  ｃｏｍｍｕｎｉｃａｔｉｏｎ、ＰＬＣ）インタフェースであることを特徴とする請求項１３に記載のホームセキュリティモニター及び通報管理のシステム。
【請求項１５】
前記ネットワーク監視装置と前記情報処理プラットフォームとの間に、ファイアウォール及び／又はネットワークルーティング装置を備え、
前記ネットワーク監視装置は、そのアドレスが物理アドレス、フローティングアドレス、実アドレス又は仮想アドレスのいずれか一つであり、前記ファイアウォール及び／又は前記ネットワークルーティング装置の制限を突破し、前記情報処理プラットフォームと通信することができ、前記ファイアウォール及び／又は前記ネットワークルーティング装置としては、前記情報処理プラットフォームからではない通信要求を拒否するものを採用することを特徴とする請求項１に記載のホームセキュリティモニター及び通報管理のシステム。
【請求項１６】
デジタル信号の処理が、前記デジタル信号を３ＧＰＰ（３ｒｄ  Ｇｅｎｅｒａｔｉｏｎ  Ｐａｒｔｎｅｒｓｈｉｐ  Ｐｒｏｊｅｃｔ、第３世代（３Ｇ）移動体通信システムの標準化プロジェクト）、ＭＰＥＧ−１、ＭＰＥＧ−２、ＭＰＥＧ−４、ＭＰ３、ＷＡＶ又はＡＶＩのいずれか一つのフォーマットに変換し、ＲＴＰ及び／又はＲＴＳＰの方式により搬送することを含むことを特徴とする請求項１に記載のホームセキュリティモニター及び通報管理のシステム。
【請求項１７】
前記ネットワーク監視装置が、前記通信ネットワークを介してデジタル信号を前記情報処理プラットフォームに伝送する前に暗号化するための暗号化モジュールを備え、前記情報処理プラットフォームが、処理並びに蓄積をする前に暗号化されたデジタル信号を復号化するための前記暗号化モジュールに対応する復号化モジュールを備えていることを特徴とする請求項１に記載のホームセキュリティモニター及び通報管理のシステム。
【発明の詳細な説明】
【技術分野】
【０００１】
本発明は、データ処理技術に関し、より詳しくは、通信ネットワークに適用されたホームセキュリティモニター及び通報管理のシステムに関するものである。
【背景技術】
【０００２】
個人が生活のプライバシーやセキュリティを重視するようになり、遠隔インターネット又は区域ネットワークなどの通信ネットワークシステム、例えばパソコン、携帯電話といった通信端末装置のハードウエアとソフトウエア技術や効能の向上に伴い、使用者は、ネットワーク通信システムを介して遠隔の環境状況の監視を行い、さらにはネットワーク通信システムを介して映像メッセージを伝送することにより、家族たちの生活ぶりを配慮することができるようになった。
【０００３】
具体的には、使用者は、住居にネットワーク監視装置、たとえばネットワークカメラ（ｎｅｔｗｏｒｋ  ｃａｍｅｒａ）を設置することができる。このネットワークカメラは、ネットワーク通信システムに直接接続するか、まず家にあるパソコンに接続し、さらにはこのパソコンによりネットワーク通信システムに接続することができる。ネットワークカメラ又はパソコン自体にある特定のＩＰアドレスにより、家を離れた使用者は、ネットワーク通信機能を有する別のパソコン、例えばノートブックパソコン又は携帯電話を介して、先にネットワーク通信システムとのリンクを得ておき、前記特定のＩＰアドレスにリンクして、遠隔地からネットワークカメラにより撮像された映像又は音声メッセージを取得することができる。
【０００４】
上記の従来のセキュリティモニター技術によれば、使用者は遠隔地から環境状況ないし家族の生活状況をリアルタイムに把握することができ、セキュリティモニターの利便性を得ることができるものの、下記の欠点を有していた。
【０００５】
まず、従来のポイント対ポイントのセキュリティモニターメッセージの取得方法は、一対一の使用状態において周波数幅が足りているかどうかを考慮する必要はないが、複数対一の使用状態においては、例えば幼稚園又は小学校の教室に設けられたネットワークカメラのように、一つのネットワークカメラに対して多数の父兄を同一のＩＰアドレスに同時にリンクさせることがある場合、周波数幅の負荷が問題になっていた。
【０００６】
次に、ネットワークを通してのポイント対ポイントの情報取得方法では、セキュリティ保護のメカニズムが不十分であるため、ＩＰアドレスを取得できる第三者であれば、セキュリティモニター情報を取得することができることがよくある。このように、セキュリティモニターの目的を達成するどころか、逆に使用者のプライバシーやセキュリティに大きな侵害を与えてしまう場合がある。
【０００７】
また、従来のセキュリティモニターだと、映像やさらに音声を含むメッセージの提供はできても、環境に見えない家族の生活セキュリティに影響する要素を、侵入者の監視のようには映像又は音声の取り出しにより得られない。例えば、家のドア・窓が開いているのか破壊されているのか、ガスが漏れているのか、火災又は煙が起きているのか、一酸化炭素又は二酸化炭素の濃度が正常であるのかというメッセージは、単純に映像や音声を介して取得できるものでない。たとえそれらの情報を取得できたとしても、既に災害が発生しコントロールできない状況になってしまい、セキュリティモニターの効果が限られることがある。
【０００８】
またさらに、家に誰もいない場合には、当然、使用者はモニターシステムの起動を望む。また、使用者が在宅していたり家族の誰かが監視されることを望んでいないなら、環境の状態メッセージが伝送されてそれが第三者に取り出されるのは嫌なものである。にもかかわらず、例えばドアや乳幼児の部屋、あるいは家の付近などのネットワークモニターにより監視したい場所がある場合、従来の遠隔のセキュリティモニター技術では、家にいるのに家の中の状態を公共のネットワーク通信システムを介してモニターするため、メッセージが許可を得ていない第三者に取り出されてしまうリスクがあった。
【０００９】
上記のように、前述した従来技術の種々の欠点が解決でき、また同時に、統合性の高いホームセキュリティモニター及び通報管理のシステムを提供することは、現在において極めて解決すべき課題となっている。
【発明の開示】
【発明が解決しようとする課題】
【００１０】
そこで、前述した従来技術の種々の欠点を解決するために、本発明は、中央管理による情報処理プラットフォームを介してセキュリティイベントメッセージを処理・蓄積し、対応するセキュリティモニターメッセージデータ及びセキュリティ通報メッセージを生成することで、使用者が情報処理プラットフォームを介してセキュリティモニターメッセージデータを取得又は受信するとともに、情報処理プラットフォームからのセキュリティ通報メッセージを受信することができるようにするためのホームセキュリティモニター及び通報管理のシステムを提供することを目的とする。
【００１１】
また、本発明は、中央管理による情報処理プラットフォームからの授権認証メカニズムを介して、情報処理プラットフォームに入って環境モニターのセキュリティモニターメッセージの使用者の身分確認を取得することで、情報の漏洩を防止できるホームセキュリティモニター及び通報管理のシステムを提供することを目的とする。
【００１２】
また、本発明は、信号伝送機能を有するネットワークモニター装置が搭載され、侵入モニターメカニズム及び／又はセキュリティに影響するガス、煙霧又は温度の検知メカニズムと組み合わせることにより、完全なセキュリティモニターを図ることができるホームセキュリティモニター及び通報管理のシステムを提供することを目的とする。
【００１３】
また、本発明は、使用者がネットワークモニター装置と情報処理プラットフォームとのリンクを選択的にオン・オフすることができるようにするためのホームセキュリティモニター及び通報管理のシステムを提供することを目的とする。
【００１４】
また、本発明は、セキュリティモニターメッセージデータ及びセキュリティ通報メッセージの伝送プロセスにおいて暗号化の保護を行い、使用者端末において復号化を行うことができ、伝送中のセキュリティモニターメッセージデータ及びセキュリティ通報メッセージの保護を図ることができるホームセキュリティモニター及び通報管理のシステムを提供することを目的とする。
【課題を解決するための手段】
【００１５】
上記の課題を解決するために、本発明の態様は、通信ネットワークに適用されたホームセキュリティモニター及び通報管理のシステムであって、
アナログ又はデジタルの映像及び／又は音声信号を取得し、前記アナログ又はデジタルの映像及び／又は音声信号をデジタル信号に変換し、前記通信ネットワークを介して伝送されてきた制御信号を受信し、前記制御信号及び／又は予め定められたスケジュールに応じて少なくともアナログ又はデジタルの映像及び／又は音声の取得のオン・オフ、遠近映像のフォーカスの調整、およびネットワーク監視装置本体の移動を含む動作を実行するネットワーク監視装置と、
データベースを有し、前記ネットワーク監視装置から前記通信ネットワークを介して伝送されたデジタル信号を受信し、前記デジタル信号を処理して前記データベースに蓄積するための情報処理プラットフォームと、
ネットワーク通信、データ処理、データ入力及び表示の機能を有し、前記通信ネットワークと前記情報処理プラットフォームとが相互にリンクされることにより、前記情報処理プラットフォームを介して前記データベースにおけるデジタル信号データをアクセスし及び／又はデジタル信号データを表示し、制御信号データ及び／又は予め定められたスケジュールデータが入力され、前記通信ネットワークを介して前記制御信号データを前記情報処理プラットフォームに伝送することで、前記情報処理プラットフォームが前記制御信号データに基づいて前記制御信号を生成し、そしてこの制御信号を前記通信ネットワークを介して前記ネットワーク監視装置に伝送し、該ネットワーク監視装置の動作を制御する通信端末装置と、を備えていることを特徴とする。
【００１６】
また、本発明の別の態様では、ホームセキュリティモニター及び通報管理のシステムにおいて、
前記ネットワーク監視装置と相互にリンクし、検知されたモニターイベントメッセージを前記ネットワーク監視装置に伝送するための少なくとも一つの環境検知ユニットをさらに備え、前記ネットワーク監視装置が前記通信ネットワークを介して前記情報処理プラットフォームに伝送して、前記情報処理プラットフォームが前記セキュリティイベントメッセージをセキュリティ通報メッセージに変換して前記データベースに蓄積し、前記通信ネットワークを介して前記通信端末装置に伝送することを特徴とする。
【００１７】
また、本発明の別の態様では、ホームセキュリティモニター及び通報管理のシステムにおいて、前記情報処理プラットフォームが、前記ネットワーク監視装置及び／又は通信端末装置が前記情報処理プラットフォームにリンクする権限を有するかどうかを認証するための認証モジュールをさらに備えていることを特徴とする。
【００１８】
また、本発明のさらに別の態様では、ホームセキュリティモニター及び通報管理のシステムにおいて、前記情報処理プラットフォームは、前記使用者身分識別モジュールが前記通信端末装置が使用権限を有すると判定した後、ユーザが前記通信端末装置を介してユーザデータの管理及び／又は保守を行うためのユーザデータ管理モジュールをさらに備えている。
【００１９】
また、本発明のさらに別の態様では、ホームセキュリティモニター及び通報管理のシステムにおいて、前記ネットワーク監視装置は、前記ネットワーク監視装置が前記ネットワークを介してデジタル信号を前記情報処理プラットフォームに伝送する機能のオン・オフを行うためのモニター切り替えモジュールをさらに備えている。
【００２０】
また、本発明のさらに別の態様では、ホームセキュリティモニター及び通報管理のシステムにおいて、前記ネットワーク監視装置は、前記通信ネットワークを介してデジタル信号を前記情報処理プラットフォームに伝送する前に暗号化する暗号化モジュールをさらに備え、前記情報処理プラットフォームが処理並びに蓄積を行う前に暗号化されたデジタル信号を復号化するための、前記暗号化モジュールに対応する復号化モジュールを備えている。
【００２１】
上記のように、従来のカメラ遠隔管理技術に対して、本発明に係るホームセキュリティモニター及び通報管理のシステムでは、中央管理による情報処理プラットフォームを介してセキュリティイベントメッセージを処理・蓄積することができ、それに対応するセキュリティモニターメッセージデータ及びセキュリティ通報メッセージを生成することで、使用者が情報処理プラットフォームを介してセキュリティモニターメッセージデータを取得または受信するとともに、情報処理プラットフォームからのセキュリティ通報メッセージを受信することができるようにすることを特徴とする。
【００２２】
また、本発明では、中央管理による情報処理プラットフォームの授権認証メカニズムを介して、情報処理プラットフォームに入ってセキュリティモニターメッセージの使用者の身分確認を取得することで情報漏れ防止を図ることができる。
【００２３】
さらに、本発明では、使用者がネットワークモニター装置と情報処理プラットフォームとのリンクを選択的にオン・オフすることができることを図ることができる。
【００２４】
またさらに、本発明では、信号伝送機能を有するネットワークモニター装置が搭載され、侵入モニターメカニズム及び／又はセキュリティに影響するガス、煙霧又は温度の検知メカニズムと組み合わせることで、完全なセキュリティモニターの目的を図ることができる。
【００２５】
またさらに、本発明では、セキュリティモニターメッセージデータ及びセキュリティ通報メッセージが伝送されるプロセスにおいて暗号化され、使用者の端末において復号化され、伝送中のセキュリティモニターメッセージデータ及びセキュリティ通報メッセージを保護することを図ることができる。
【発明を実施するための最良の形態】
【００２６】
下記において、特定の具体的な実施例により本発明の実施方式を説明する。明細書に記載の内容は、この技術分野に精通した者なら簡単に本発明のその他の利点や効果が理解できる。本発明は、その他の異なる実施例によって施行や応用を加えることが可能であり、明細書に記載された内容も異なる観点や応用に基づき、本発明の精神を逸脱しない範囲で様々な修飾や変更が可能であり、そうした修飾や変更は本発明の技術範囲に含まれるものである。
【００２７】
（第１の実施例）
図１は、本発明に係るホームセキュリティモニター及び通報管理のシステムの第１の実施例の応用構造を模式的に示したものである。図１に示すように、本発明に係るホームセキュリティモニター及び通報管理のシステムは、ネットワーク監視装置１１、情報処理プラットフォーム１２、及び通信端末装置１３を備えている。本実施例において、本発明に係るホームセキュリティモニター及び通報管理のシステムは、通信ネットワーク２に応用されている。通信ネットワーク２は、例えば有線又は無線のインターネット又は企業間ネットワーク、２Ｇ、ＧＰＲＳ、３Ｇ、ＷｉＭａｘ、ＣＤＭＡ、ＷＣＤＭＡ又はＰＨＳシステムといった無線電話通信ネットワークである。
【００２８】
ネットワーク監視装置１１は、アナログ映像及び／又は音声信号を取得し、アナログ映像及び／又は音声信号をデジタル信号に変換し、通信ネットワーク２を介して伝送されてきた制御信号を受信し、この制御信号及び／又は予め定められたスケジュールに基づいて、少なくともアナログ映像及び／又は音声信号の取得のオン・オフを含む動作を行う。
【００２９】
本実施例において、ネットワーク監視装置１１は、例えばネットワークリンク機能や特定のネットワークアドレスを有する映像及び／又は音声取得装置であり、具体的には、例えばＣＣＤ又はＣＭＯＳのようなレンズを有する映像取得ユニットにより映像を取得し、またマイクロホン等の音声取得ユニットにより音声を取得する。
【００３０】
次に、ネットワーク監視装置１１は、取得されたアナログ映像及び／又は音声をデジタル信号のフォーマットに変換するためのアナログ・デジタル映像及び／又は音声信号変換処理ユニットを備えている。
【００３１】
さらに、ネットワーク監視装置１１は、通信ネットワーク２を介して伝送されてきた制御信号を受信し、この制御信号により映像取得ユニット及び音声取得ユニットの動作、例えばアナログ映像及び／又は音声取得のオン・オフの動作、さらに映像取得ユニットのレンズの遠近フォーカスの調整、および映像取得ユニット又は音声取得ユニットを含むネットワーク監視装置１１本体の移動を制御している。
【００３２】
また、本実施例において、ネットワーク監視装置１１は、無線又は有線のいずれか一つの通信インタフェースを有している。好ましくは、該有線通信インタフェースは、高速電力線通信（ｐｏｗｅｒ  ｌｉｎｅ  ｃｏｍｍｕｎｉｃａｔｉｏｎ、ＰＬＣ）インタフェースである。
【００３３】
情報処理プラットフォーム１２は、データベース１２１を有しており、ネットワーク監視装置１１が通信ネットワーク２を介して伝送してきたデジタル信号を受信し、このデジタル信号を処理して該データベース１２１に蓄積する。
【００３４】
本実施例において、情報処理プラットフォーム１２は、例えばインターネットサービスプロバイダー（Ｉｎｔｅｒｎｅｔ  Ｓｅｒｖｉｃｅ  Ｐｒｏｖｉｄｅｒ、ＩＳＰ）により提供された情報処理プラットフォーム１２であってよい。前述のように、情報処理プラットフォーム１２は、通信ネットワーク２によりネットワーク監視装置１１からそのアナログ・デジタル映像及び／又は音声信号変換処理ユニットを介して変換されたデジタル映像及び／又は音声信号を受信する。また、データベース１２１は、例えばインターネットサービスプロバイダーにより提供されたデータベースサーバー等のネットワークリンク機能を有するデータ蓄積装置であってよい。
【００３５】
本実施例において、デジタル信号の処理は、該デジタル信号を３ＧＰＰ（３ｒｄ  Ｇｅｎｅｒａｔｉｏｎ  Ｐａｒｔｎｅｒｓｈｉｐ  Ｐｒｏｊｅｃｔ、第３世代（３Ｇ）移動体通信システムの標準化プロジェクト）、ＭＰＥＧ−１、ＭＰＥＧ−２、ＭＰＥＧ−４、ＭＰ３、ＷＡＶ又はＡＶＩのいずれか一つのフォーマットに変換し、またＲＴＰ及び／又はＲＴＳＰの方式により搬送することを含む。
【００３６】
通信端末装置１３は、ネットワーク通信、データ処理、データ入力及び表示の機能を有し、通信ネットワーク２と情報処理プラットフォーム１２との相互リンクにより、情報処理プラットフォーム１２を介してそのデータベース１２１におけるデジタル信号データにアクセスし及び／又は信号データを表示する。本実施例において、通信端末装置１３は、例えばパソコン、ノートブックパソコン、携帯電話、個人用携帯情報端末、パームトップ型コンピュータ等のネットワーク通信、データ処理、データ入力及び表示の機能を有する装置であってよい。
【００３７】
次に、通信端末装置１３は、制御信号データ及び／又は予め定められたスケジュールデータが入力され、通信ネットワーク２を介して前記制御信号データを情報処理プラットフォーム１２に伝送することで、情報処理プラットフォーム１２が制御信号データに基づいて制御信号を生成し、そしてこの制御信号を、通信ネットワーク２を介してネットワーク監視装置１１に送信して該ネットワーク監視装置１１の動作を制御することができる。前述のように、使用者は、通信端末装置１３によって映像取得ユニットのレンズの遠近フォーカスの調整、映像取得ユニット又は音声取得ユニットを含むネットワーク監視装置１１本体の移動等の制御信号を調整し、この制御信号を通信ネットワーク２を介して情報処理プラットフォーム１２に伝送することで、情報処理プラットフォーム１２がそれに基づいてネットワーク監視装置１１を制御する。
【００３８】
（第２の実施例）
図２は、本発明に係るホームセキュリティモニター及び通報管理のシステムの第２の実施例の応用構造を模式的に示したものである。図に示すように、第２の実施例は上記第１の実施例の応用構造とほぼ同一であるが、さらに１つ以上の環境検知ユニット１４を備えている。環境検知ユニット１４は、ネットワーク監視装置１１と相互にリンクされ、検知されたセキュリティイベントメッセージをネットワーク監視装置１１に伝送し、ネットワーク監視装置１１が通信ネットワーク２を介してそれを情報処理プラットフォーム１２に伝送し、情報処理プラットフォーム１２がセキュリティイベントメッセージをセキュリティ通報メッセージに変換してデータベース１２１に蓄積し、通信ネットワーク２を介して通信端末装置１３に伝送する。
【００３９】
本実施例において、環境検知ユニット１４は、侵入検知ユニット１４１、ガス漏洩検知ユニット１４２、火災検知ユニット１４３、煙霧検知ユニット１４４、一酸化炭素濃度検知ユニット１４５、及び二酸化炭素濃度検知ユニット１４６からなるグループから選択される。環境検知ユニット１４は、有線又は無線のいずれか一つの方式によりネットワーク監視装置１１と相互にリンクする。
【００４０】
好ましくは、本実施例において、環境検知ユニット１４が、検知したセキュリティイベントメッセージをネットワーク監視装置１１に伝送した時、ネットワーク監視装置１１はセキュリティモニターメッセージを伝送した環境検知ユニット１４の周辺環境でのアナログ映像及び／又は音声信号を即取得する。例えば、セキュリティイベントメッセージが侵入検知ユニット１４１により伝送されたものであれば、ネットワーク監視装置１１はセキュリティイベントメッセージを伝送した侵入検知ユニット１４１の周辺環境でのアナログ映像及び／又は音声信号を即取得することで、セキュリティイベントが発生した際に侵入状況のアナログ映像及び／又は音声信号を取得し、使用者が事後又は即時にセキュリティモニターメッセージデータを取り出した時、発生した事態をより明確に把握することができる。
【００４１】
次に、セキュリティイベントメッセージを、携帯電話メール、電子メール、リアルタイムサイレン又は音声伝送のいずれか一つの方式により通信ネットワーク２を介して通信端末装置１３に伝送することができる。即ち、情報処理プラットフォーム１２がセキュリティイベントメッセージをセキュリティ通報メッセージに変換してデータベース１２１に蓄積するとともに、通信ネットワーク２を介して携帯電話メール、電子メール、リアルタイムサイレン又は音声伝送のいずれか一つの方式により通信端末装置１３に伝送する。
【００４２】
（第３の実施例）
図３は、本発明に係るホームセキュリティモニター及び通報管理のシステムの第３の実施例の応用構造を模式的に示したものである。第３の実施例は、前記第１の実施例及び／又は第２の実施例の応用構造に相互に結合されてよい。図に示すように、本実施例において、情報処理プラットフォーム１２は、ネットワーク監視装置１１及び／又は通信端末装置１３が情報処理プラットフォーム１２にリンクされる権限を持っているかどうかを認証するための認証モジュール１２２をさらに備えている。
【００４３】
前述のように、本実施例において、情報処理プラットフォーム１２のデータベース１２１には個別のネットワーク監視装置１１に対応する識別データが予め蓄積され、認証モジュール１２２がネットワーク監視装置１１のメディアアクセス制御（Ｍｅｄｉａ  Ａｃｃｅｓｓ  Ｃｏｎｔｒｏｌ，  ＭＡＣ）アドレスを介して個別のネットワーク監視装置１１及びその対応する識別データを判断する。
【００４４】
また、データベース１２１には、さらに、個別の使用者に対応する身分識別データの使用権限データ及びデジタル信号データアクセス期限認証データが予め蓄積され、認証モジュール１２２がさらに使用者身分識別モジュール１２２１及びアクセス期限認証モジュール１２２２を備えている。
【００４５】
使用者身分識別モジュール１２２１は、使用者により通信端末装置１３から通信ネットワーク２を介して伝送されてきた身分識別データが使用権限を持っているかどうか及び該使用権限の内容を判断する。
【００４６】
アクセス期限認証モジュール１２２２は、使用者身分識別モジュール１２２１が、通信端末装置１３の使用者が使用権限を持っていると判定した後、さらに通信端末装置１３の使用者がデータベース１２１におけるデジタル信号データをアクセスする権限が期限切れであるかどうかを判断し、期限切れでなければ、通信端末装置１３の使用者がデータベース１２１におけるデジタル信号データをアクセスすることを許可し、期限切れであれば、通信端末装置１３の使用者がデータベース１２１におけるデジタル信号データをアクセスすることを禁止する。
【００４７】
好ましくは、本実施例において、身分識別データは、ワンタイムパスワード（Ｏｎｅ−Ｔｉｍｅ  Ｐａｓｓｗｏｒｄ，  ＯＴＰ）である。即ち、身分識別データの使用は一回のみであり、使用する毎に入力する身分識別データを変更し、認証を行わなければならない。
【００４８】
より好ましくは、本実施例において、情報処理プラットフォーム１２は、さらに、使用者身分識別モジュール１２２１が通信端末装置１３の使用者が使用権限を持っていると判断した後、使用者が通信端末装置１３を介してユーザデータの管理及び／又は保守を行うためのユーザデータ管理モジュール１２３を備えている。具体的には、情報処理プラットフォーム１２は、使用者操作インタフェース又はウィンドウ環境を提供することで、使用者が通信端末装置１３を介して増加、削除、補正といったユーザデータの管理及び／又は保守を行うことができる。
【００４９】
（第４の実施例）
図４は、本発明に係るホームセキュリティモニター及び通報管理のシステムの第４の実施例の応用構造を模式的に示したものである。第４の実施例は、前記第１の実施例、第２の実施例及び／又は第３の実施例の応用構造に相互に結合されてよい。図に示すように、本実施例において、ネットワーク監視装置１１は、ネットワーク監視装置１１が通信ネットワーク２を介してデジタル信号を情報処理プラットフォーム１２に伝送する機能をオン又はオフにするためのモニター切り替えモジュール１１１を備えている。
【００５０】
本実施例において、本発明に係るホームセキュリティモニター及び通報管理のシステムは、ネットワーク監視装置１１と相互にリンクされるローカル通信端末装置１５を更に備えており、モニター切り替えモジュール１１１は、ネットワーク監視装置１１がデジタル信号を情報処理プラットフォーム１２に伝送する機能をオフにした場合、ネットワーク監視装置１１が該デジタル信号をローカル通信端末装置１５に伝送する。これにより、使用者が帰宅したり環境の状態メッセージを第三者に取得させないようにしたい場合、モニター切り替えモジュール１１１によりネットワーク監視装置１１のデジタル信号を情報処理プラットフォーム１２に伝送する機能をオフにすれば、前述したプライバシー保護の機能を果たすことができる。これに対して、使用者が、前述した本発明に係るホームセキュリティモニター及び通報管理のシステムを起動しなおしたい場合、ネットワーク監視装置１１が通信ネットワーク２を介してデジタル信号を情報処理プラットフォーム１２に伝送する機能をオンにすれば実現することができる。
【００５１】
（第５の実施例）
図５は、本発明に係るホームセキュリティモニター及び通報管理のシステムの第５の実施例の応用構造を模式的に示したものである。第５の実施例は、前記第１の実施例、第２の実施例、第３の実施例、及び／又は第４の実施例の応用構造に相互に結合されてよい。図に示すように、本実施例において、ネットワーク監視装置１１は、通信ネットワーク２を介してデジタル信号を情報処理プラットフォーム１２に伝送する前に暗号化するための暗号化モジュール１１２を備え、情報処理プラットフォーム１２は、暗号化モジュール１１２に対応する復号化モジュール１２４を備え、処理並びに蓄積をする前に暗号化されたデジタル信号を復号化する。これにより、ネットワーク監視装置１１が通信ネットワーク２を介してデジタル映像及び／又は音声信号を伝送した時、授権されていない第三者により不当に情報を取り出されプライバシーメッセージが漏洩してしまうというトラブルを防止できる。
【００５２】
（第６の実施例）
本発明に係るホームセキュリティモニター及び通報管理のシステムの第６の実施例では、前記第１の実施例、第２の実施例、第３の実施例、第４の実施例、及び／又は第５の実施例の応用構造に相互に結合されてよい。本実施例において、ネットワーク監視装置１１と情報処理プラットフォーム１２との間に、さらに従来のファイアウォール及び／又はネットワークルーティング装置（図示せず）を備えており、ネットワーク監視装置１１は、そのアドレスが物理アドレス、フローティングアドレス、実アドレス又は仮想アドレスのいずれか一つであり、ファイアウォール及び／又はネットワークルーティング装置の制限を突破することができ、情報処理プラットフォーム１２と通信し、ファイアウォール及び／又はネットワークルーティング装置としては、情報処理プラットフォーム１２からではない通信要求を拒否することができるものを採用する。
【００５３】
上記のように、本発明に係るホームセキュリティモニター及び通報管理のシステムは、中央管理による情報処理プラットフォームを介してセキュリティイベントメッセージを処理・蓄積し、対応するセキュリティモニターメッセージデータ及びセキュリティ通報メッセージを生成し、使用者が情報処理プラットフォームを介してセキュリティモニターメッセージデータを取得又は受信し、かつ、情報処理プラットフォームからの通報メッセージを受信するほか、さらに、中央管理による情報処理プラットフォームからの授権認証メカニズムを介して、情報処理プラットフォームに入ってセキュリティモニターメッセージの使用者の身分確認を得ることで、情報の漏洩を防止することができる。また、使用者がネットワークモニター装置と情報処理プラットフォームとのリンクを選択的にオン・オフすることができるとともに、信号伝送機能を有するネットワーク監視装置を搭載し、侵入モニターメカニズム及び／又はセキュリティに影響するガス、煙霧又は温度の検知メカニズムに相互に結合されることにより、完璧にセキュリティモニターの目的を図ることもできる。最後に、セキュリティモニターメッセージデータ及びセキュリティ通報メッセージの伝送プロセスにおいて暗号化の保護を行い、使用者端末において復号化を行い、伝送中のセキュリティモニターメッセージデータ及びセキュリティ通報メッセージの保護を図ることができる。
【００５４】
以上、これらの実施形態は本発明の原理及び効果・機能を例示的に説明するものであり、本発明はこれらによって限定されるものではない。それら各構成要素の組み合わせに、さらにいろいろな変形例が可能なこと、またそうした変形例も本発明の範囲内にあることは当業者に理解されるところである。
【図面の簡単な説明】
【００５５】
【図１】本発明に係るホームセキュリティモニター及び通報管理のシステムの第１の実施例の応用構造を模式的に示す。
【図２】本発明に係るホームセキュリティモニター及び通報管理のシステムの第２の実施例の応用構造を模式的に示す。
【図３】本発明に係るホームセキュリティモニター及び通報管理のシステムの第３の実施例の応用構造を模式的に示す。
【図４】本発明に係るホームセキュリティモニター及び通報管理のシステムの第４の実施例の応用構造を模式的に示す。
【図５】本発明に係るホームセキュリティモニター及び通報管理のシステムの第５の実施例の応用構造を模式的に示す。
【符号の説明】
【００５６】
１１    ネットワーク監視装置
１１１  モニター切り替えモジュール
１１２  暗号化モジュール
１２    情報処理プラットフォーム
１２１  データベース
１２２    認証モジュール
１２２１  使用者身分識別モジュール
１２２２  アクセス期限認証モジュール
１２３  ユーザデータ管理モジュール
１２４  復号化モジュール
１３    通信端末装置
１４    環境検知ユニット
１４１  侵入検知ユニット
１４２  ガス漏洩検知ユニット
１４３  火災検知ユニット
１４４  煙霧検知ユニット
１４５  一酸化炭素濃度検知ユニット
１４６  二酸化炭素濃度検知ユニット
１５    ローカル通信端末装置
２      通信ネットワーク
【図１】
2009059344.tif 000003
【図２】
2009059344.tif 000004
【図３】
2009059344.tif 000005
【図４】
2009059344.tif 000006
【図５】
2009059344.tif 000007